(57)【特許請求の範囲】
【請求項１】
複数の設備機器を管理する設備管理装置が接続された第１のネットワーク及びサーバが接続された第２のネットワークの間のゲートウェイとして機能する情報収集装置であって、
前記第１のネットワークでの通信に使用される第１のインターフェースと、
前記第２のネットワークでの通信に使用される第２のインターフェースと、
前記設備管理装置が前記サーバと通信を行うために必要な通信設定情報、及び、前記設備管理装置に割り振られたＭＡＣアドレスを示す割り振り情報を記憶する記憶部と、
前記割り振り情報を参照することで、前記第１のネットワークにおいて前記設備管理装置を識別し、前記第１のインターフェースを用いて、前記通信設定情報を前記設備管理装置に送る通信設定部と、
前記通信設定情報に基づいて前記設備管理装置から送られてきたデータを、前記第１のインターフェースを用いて受け取り、当該データを前記第２のインターフェースを用いて、前記サーバに転送する転送部と、を備えること
を特徴とする情報収集装置。
【請求項２】
前記通信設定情報は、前記第１のネットワークを介して前記第２のネットワークに接続するためのネットワーク設定情報、前記サーバに接続するためのサーバ接続設定情報及び前記データを送信する宛先を示す送信先設定情報を含むこと
を特徴とする請求項１に記載の情報収集装置。
【請求項３】
前記サーバ接続設定情報は、ＳＭＴＰに従ってメールを送信するために、前記サーバに接続するための情報を含み、前記送信先設定情報は、メールアドレスを含むこと
を特徴とする請求項２に記載の情報収集装置。
【請求項４】
前記第２のインターフェースを介して、前記第２のネットワークから情報を取得して、前記通信設定情報を最新の状態に同期させる設定同期部をさらに備えること
を特徴とする請求項１から３の何れか一項に記載の情報収集装置。
【請求項５】
前記データは、前記複数の設備機器の各々の運用状況を示す運用データ、前記複数の設備機器の各々の運転状態の履歴を示す履歴データ及び前記複数の設備機器の各々において異常が発生したことを示す異常発生データの少なくとも何れか一つであること
を特徴とする請求項１から４の何れか一項に記載の情報収集装置。
【請求項６】
前記第２のネットワークは、インターネットであること
を特徴とする請求項１から５の何れか一項に記載の情報収集装置。
【請求項７】
前記第１のネットワークは、ＬＡＮであること
を特徴とする請求項１から６の何れか一項に記載の情報収集装置。
【発明の詳細な説明】
【技術分野】
【０００１】
本発明は、情報収集装置に関し、特に、他の装置を容易にネットワークに接続することのできる情報収集装置に関する。
【背景技術】
【０００２】
大規模ビル等、多数の設備機器が設置されている建物には、建物内の設備機器の運転状態を監視及び制御するための設備管理装置が設置されている。設備管理装置は、種々の設備機器の定期的な運用データを保持するとともに、定期的に運用データを送信する機能を有している。また、設備管理装置は、異常発生時に異常を知らせる電子メールを配信可能な機能を有している。【０００３】
しかしながら、インターネットを介して、遠隔サーバ又はメールサーバにデータを送信するためには、設備管理装置にインターネット接続のための各種設定（ＧＷアドレス、ＤＮＳサーバ、メール送信認証設定、遠隔サーバ設定等々）を行う必要がある。これらの設定には専門的な知識が要求される。【０００４】
一般に、設備管理装置を設置する業者は、設備機器の機械的な部分には詳しいが、ネットワーク及びセキュリティに関する知識に乏しいことが多い。そのため、設備管理装置にインターネットを活用した様々な機能が載っているにも関わらず、ネットワークの設定が行えず、インターネットに接続することができない場合があった。【０００５】
特許文献１には、収集したデータをインターネット等に配置されるファイルサーバに蓄積する制御システムが開示されている。この制御システムは、異常事態が想定される前兆を察知した場合には、その対処手段を提案するように構成されている。
【先行技術文献】
【特許文献】
【０００６】
【特許文献１】特開２００５−７４４１８号公報（図１）
【発明の概要】
【発明が解決しようとする課題】
【０００７】
しかしながら、特許文献１に記載された制御システムでは、水道施設内のコンピュータに、インターネットとの接続を設定する必要がある。このため、ネットワークの知識に乏しい一般の設備業者には、インターネットへの接続に関する各種設定が困難であるといった課題がある。【０００８】
そこで、本発明は、上記課題を解決するためになされたもので、ネットワークに関する知識に乏しい設備業者でも、容易にネットワークへの接続を行うことができるようにすることを目的とする。
【課題を解決するための手段】
【０００９】
本発明の一態様に係る情報収集装置は、複数の設備機器を管理する設備管理装置が接続された第１のネットワーク及びサーバが接続された第２のネットワークの間のゲートウェイとして機能する情報収集装置であって、前記第１のネットワークでの通信に使用される第１のインターフェースと、前記第２のネットワークでの通信に使用される第２のインターフェースと、前記設備管理装置が前記サーバと通信を行うために必要な通信設定情報、及び、前記設備管理装置に割り振られたＭＡＣアドレスを示す割り振り情報を記憶する記憶部と、前記割り振り情報を参照することで、前記第１のネットワークにおいて前記設備管理装置を識別し、前記第１のインターフェースを用いて、前記通信設定情報を前記設備管理装置に送る通信設定部と、前記通信設定情報に基づいて前記設備管理装置から送られてきたデータを、前記第１のインターフェースを用いて受け取り、当該データを前記第２のインターフェースを用いて、前記サーバに転送する転送部と、を備えることを特徴とする。
【発明の効果】
【００１０】
本発明の一態様によれば、複数の設備機器の情報を管理する設備管理装置に接続するだけで、ネットワークに関する知識に乏しい設備業者でも、容易にネットワークへの接続を行うことができる。
【図面の簡単な説明】
【００１１】
【図１】実施の形態に係る設備管理システムの構成を概略的に示すブロック図である。
【図２】実施の形態における設備管理装置の構成を概略的に示すブロック図である。
【図３】（Ａ）及び（Ｂ）は、実施の形態におけるハードウェア構成例を示す概略図である。
【図４】実施の形態における情報収集装置の構成を概略的に示すブロック図である。
【図５】実施の形態における設備管理装置に通信設定を行う際の処理を示すフローチャートである。
【図６】実施の形態における設備管理装置から情報収集装置を介して遠隔サーバに異常発生情報及び運用データを送信する際の処理を示すフローチャートである。
【発明を実施するための形態】
【００１２】
実施の形態．
図１は、実施の形態に係る設備管理システム１００の構成を概略的に示すブロック図である。
図１に示されているように、設備管理システム１００は、複数の設備機器１０１と、設備管理装置１１０と、ゲートウェイとしての情報収集装置１５０とを備えている。設備機器１０１と設備管理装置１１０とは、専用通信線１０３で互いに通信可能なように接続されている。設備管理装置１１０と情報収集装置１５０とは、ＬＡＮ等の汎用通信線１０４で接続されている。情報収集装置１５０は、外部通信線１０５を介して、インターネット１９０に接続され、一又は複数の遠隔サーバ１９１にアクセスすることができる。
【００１３】
複数の設備機器１０１は、例えば、ビル内の指定された場所にそれぞれ設置されているものとする。各設備機器１０１は、設備管理装置１１０の管理の下で動作する。設備機器１０１の運転状態情報、異常情報及びメンテナンス情報は、専用通信線１０３を介して、設備管理装置１１０に通知される。この複数の設備機器１０１を、以下では設備機器群１０２ともいう。
【００１４】
設備管理装置１１０は、複数の設備機器１０１を含む設備機器群１０２を統括的に制御及び管理する。
図２は、設備管理装置１１０の構成を概略的に示すブロック図である。
図２に示すように、設備管理装置１１０は、データ管理部１２０と、制御部１３０と、表示装置１４０と、入力装置１４１と、設備機器通信管理部１４２と、ＬＡＮ通信管理部１４３とを備える。
【００１５】
データ管理部１２０は、設備管理装置１１０での処理に必要なデータを記憶する記憶部である。例えば、データ管理部１２０は、設備機器群１０２の監視及び操作に必要となるデータ、並びに、遠隔サーバ１９１にデータを送信する際に必要となるデータを管理する。
データ管理部１２０で管理されるデータには、大別して、設備機器データＤ１０、ネットワーク情報Ｄ１１、サーバ接続情報Ｄ１２、送信先情報Ｄ１３が含まれる。
【００１６】
設備機器データＤ１０は、設備管理装置１１０に接続された各設備機器１０１の運転状態を示すデータである。このデータにより、各設備機器１０１が制御及び管理される。例えば、設備機器データＤ１０は、運用データＤ１０ａ及び履歴データＤ１０ｂを含む。
運用データＤ１０ａは、設備管理装置１１０に接続された各設備機器１０１の運用状況を示すデータである。運用状況を示すデータには、例えば、運転若しくは停止状態、冷房若しくは暖房等の運転モード、設定温度、室内温度、メンテナンスに利用する設備機器１０１の詳細データ、又は、設備機器１０１の異常を知らせる異常データ等のデータが含まれる。運用データＤ１０ａは、各設備機器１０１とのデータ送受信により、随時最新の状態に更新されている。
【００１７】
履歴データＤ１０ｂは、設備管理装置１１０に接続された各設備機器１０１の運転状態の履歴を示すデータである。例えば、履歴データＤ１０ｂは、設備管理装置１１０に接続された各設備機器１０１の操作履歴、異常履歴、通信履歴、又は、運用トレンドデータ等の履歴を示すデータである。履歴データＤ１０ｂには、適宜履歴が追加されている。
【００１８】
ネットワーク情報Ｄ１１は、設備管理装置１１０が情報収集装置１５０を介して、ネットワークとしてのインターネット１９０に接続するためのデータである。例えば、ネットワーク情報Ｄ１１は、ＩＰ（Ｉｎｔｅｒｎｅｔ  Ｐｒｏｔｏｃｏｌ）アドレスＤ１１ａ、ＧＷ（Ｇａｔｅ  Ｗａｙ）アドレスＤ１１ｂ及びＤＮＳ（Ｄｏｍａｉｎ  Ｎａｍｅ  Ｓｙｓｔｅｍ）サーバアドレスＤ１１ｃを含む。
ＩＰアドレスＤ１１ａは、設備管理装置１１０に割り当てられたＩＰアドレスである。
ＧＷアドレスＤ１１ｂは、設備管理装置１１０がインターネット１９０に接続するための情報収集装置に接続するための通信アドレスである。本実施の形態では、情報収集装置１５０がゲートウェイとして機能するための、ＧＷアドレスＤ１１ｂは、情報収集装置１５０の通信アドレスである。
ＤＮＳサーバアドレスＤ１１ｃは、ＤＮＳサーバの通信アドレスである。
【００１９】
サーバ接続情報Ｄ１２は、設備管理装置１１０がデータを送信する遠隔サーバ１９１に接続するためのデータである。例えば、サーバ接続情報Ｄ１２は、データサーバ情報Ｄ１２ａ及びメールサーバ情報Ｄ１２ｂを含む。
データサーバ情報Ｄ１２ａは、データサーバのサーバ名称（ホスト名）、データサーバに接続するための認証情報（例えば、ユーザー名とパスワード）、及び、接続タイミング等を示すデータである。データサーバは、各種データを格納し、そのデータを分析して、設備機器１０１の制御等を行うデータセンターのサーバ又はクラウドサーバ等である。
メールサーバ情報Ｄ１２ｂは、メールサーバのサーバ名称、メールサーバに接続するための認証情報（例えば、ユーザー名とパスワード）、送信元のメールアドレス、及び、送信先のメールアドレス等を示すデータである。メールサーバは、運用データをメールで送信する相手先となる。
【００２０】
送信先情報Ｄ１３は、設備管理装置１１０がデータを送信する遠隔サーバ１９１の宛先情報である。例えば、送信先情報Ｄ１３は、データサーバの宛先情報を示すデータ送信先情報Ｄ１３ａ、及び、メールサーバの宛先情報を示すメール送信先情報Ｄ１３ｂを含む。
【００２１】
制御部１３０は、設備管理装置１１０での処理を制御する。例えば、制御部１３０は、設備管理装置１１０に接続された設備機器群１０２の運転状態を保持し、表示装置１４０に表示する監視画面に必要なデータを送受信する処理を行う。また、制御部１３０は、設備機器１０１の異常等の特異点が発生したことを示す異常発生データ、定期的な運用データ、履歴データ、又は、メンテナンスデータ等をインターネット１９０上の遠隔サーバ１９１（メールサーバ、データサーバ等）に送信する処理を行う。
【００２２】
図２に示されているように、制御部１３０は、設備機器管理部１３１と、通信管理部１３２と、データ配信部１３３とを含む。
設備機器管理部１３１は、設備管理装置１１０に接続された設備機器群１０２の運転状態を監視して、制御する。
通信管理部１３２は、設備管理装置１１０が行う通信を管理する。例えば、通信管理部１３２は、設備管理装置１１０がデータを送信する送信先（遠隔サーバ１９１）を管理する。
データ配信部１３３は、異常発生データ、運用データ、履歴データ、又は、メンテナンスデータ等を遠隔サーバ１９１に送信する。
【００２３】
表示装置１４０は、制御部１３０の制御の下、設備機器群１０２の監視及び制御を行うための各種画面を表示する表示部である。
入力装置１４１は、指示等の入力を行うための入力部である。例えば、入力装置１４１は、タッチパネル、マウス等の入力用デバイスである（タッチパネルの場合は、表示装置１４０上に設置される）。管理者がタッチパネル等の入力装置１４１を操作すると、入力した内容により、画面の切り換え、又は、設備機器１０１の操作等が行われる。
【００２４】
設備機器通信管理部１４２は、設備機器１０１と通信を行うための通信インターフェースである。
ＬＡＮ通信管理部１４３は、情報収集装置１５０と通信を行うための、ＮＩＣ（Ｎｅｔｗｏｒｋ  Ｉｎｔｅｒｆａｃｅ  Ｃａｒｄ）等の通信インターフェースである。
【００２５】
以上に記載されている制御部１３０は、例えば、図３（Ａ）に示されているように、メモリ１と、メモリ１に格納されているプログラムを実行するＣＰＵ（Ｃｅｎｔｒａｌ  Ｐｒｏｃｅｓｓｉｎｇ  Ｕｎｉｔ）等のプロセッサ２とにより構成することができる。このようなプログラムは、ネットワークを通じて提供されてもよく、また、記録媒体に記録されて提供されてもよい。
なお、データ管理部１２０は、プロセッサ２がメモリ１を利用することで、実現することができる。
【００２６】
また、制御部１３０の一部又は全部は、例えば、図３（Ｂ）に示されているように、単一回路、復号回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路３で構成することもできる。
なお、データ管理部１２０は、処理回路３が処理回路３内又は処理回路３外のメモリ（図示せず）を利用することで、実現することができる。
【００２７】
図４は、情報収集装置１５０の構成を概略的に示すブロック図である。
図４に示されているように、情報収集装置１５０は、データ管理部１６０と、制御部１７０と、ＬＡＮ通信管理部１８０と、外部通信管理部１８１と、を備えている。
情報収集装置１５０は、汎用通信線１０４を用いて、設備管理装置１１０と接続して、設備管理装置１１０に遠隔サーバ１９１と通信するための通信設定を行う。また、情報収集装置１５０は、汎用通信線１０４を介して、設備管理装置１１０から各種データを受信する。そして、情報収集装置１５０は、外部通信線１０５を介して、受信したデータを遠隔サーバ１９１に転送する。
【００２８】
データ管理部１６０は、情報収集装置１５０での処理に必要なデータを記憶する記憶部である。例えば、データ管理部１６０は、設備管理装置１１０が遠隔サーバ１９１にアクセスするのに必要となるデータを管理する。
データ管理部１６０で管理されるデータには、インターネット接続情報Ｄ２０、ネットワーク設定情報Ｄ２１、サーバ接続設定情報Ｄ２２、送信先設定情報Ｄ２３がある。
【００２９】
インターネット接続情報Ｄ２０は、情報収集装置１５０がインターネット１９０回線に接続するための各種情報である。インターネット接続情報Ｄ２０は、接続先情報Ｄ２０ａと、ユーザー情報Ｄ２０ｂとを含む。
接続先情報Ｄ２０ａは、３Ｇ（Ｇｅｎｅｒａｔｉｏｎ）又はＬＴＥ（Ｌｏｎｇ  Ｔｅｒｍ  Ｅｖｏｌｕｔｉｏｎ）といった回線の接続先を示す情報である。
ユーザー情報Ｄ２０ｂは、インターネット接続業者の認証を受けるための情報である。
【００３０】
ネットワーク設定情報Ｄ２１は、設備管理装置１１０が情報収集装置１５０を介して、インターネット１９０に接続するために、設備管理装置１１０に設定するための各種データである。ネットワーク設定情報Ｄ２１は、ＧＷアドレスＤ２１ａ及びＤＮＳサーバアドレスＤ２１ｂを含む。
【００３１】
サーバ接続設定情報Ｄ２２は、設備管理装置１１０が遠隔サーバ１９１に接続するために、設備管理装置１１０に設定するための各種データである。サーバ接続設定情報Ｄ２２は、データサーバ情報Ｄ２２ａ及びメールサーバ情報Ｄ２２ｂを含む。
【００３２】
送信先設定情報Ｄ２３は、設備管理装置１１０に遠隔サーバ１９１の宛先情報として設定するための各種データである。送信先設定情報Ｄ２３は、データ送信先情報Ｄ２３ａ及びメール送信先情報Ｄ２３ｂを含む。
【００３３】
ここで、ネットワーク設定情報Ｄ２１、サーバ接続設定情報Ｄ２２及び送信先設定情報Ｄ２３は、設備管理装置１１０が遠隔サーバ１９１と通信を行うために必要な通信設定情報に含まれる。
【００３４】
制御部１７０は、情報収集装置１５０での処理を制御する。例えば、制御部１７０は、設備管理装置１１０からの要求に応じて、通信設定情報を設備管理装置１１０に送る。また、制御部１７０は、設備管理装置１１０からの送信データをインターネット１９０上の遠隔サーバ１９１（メールサーバ又はデータサーバ等）に転送する。
図４に示されているように、制御部１７０は、通信設定部１７１、転送部１７２及び設定同期部１７３を含む。
【００３５】
通信設定部１７１は、設備管理装置１１０が遠隔サーバ１９１にアクセスするための通信設定を行う。例えば、通信設定部１７１は、ＬＡＮ通信管理部１８０を用いて、通信設定情報を設備管理装置１１０に送る。なお、通信設定部１７１は、例えば、ＭＡＣ（Ｍｅｄｉａ  Ａｃｃｅｓｓ  Ｃｏｎｔｒｏｌ）アドレスを用いて、ＬＡＮにおいて設備管理装置１１０を識別する。
転送部１７２は、設備管理装置１１０と遠隔サーバ１９１との間で送受信されるデータの転送を行う。例えば、転送部１７２は、通信設定情報に基づいて設備管理装置１１０から送られてきたデータを、ＬＡＮ通信管理部１８０を用いて受け取り、このデータを、外部通信管理部１８１を用いて、遠隔サーバ１９１に転送する。
【００３６】
設定同期部１７３は、遠隔サーバ１９１との間で、各種データの同期を取る。例えば、設定同期部１７３は、外部通信管理部１８１を介して、インターネット１９０から情報を取得して、通信設定情報を最新の状態に同期させる。
【００３７】
ＬＡＮ通信管理部１８０は、設備管理装置１１０と通信を行うための、ＮＩＣ等の通信インターフェースである。ＬＡＮ通信管理部１８０は、第１のネットワークであるＬＡＮでの通信に使用される第１のインターフェースである。
外部通信管理部１８１は、インターネット１９０との間で通信を行うための、ＮＩＣ等の通信インターフェースである。外部通信管理部１８１は、第２のネットワークであるインターネットでの通信に使用される第２のインターフェースである。
【００３８】
以上に記載された制御部１７０は、例えば、図３（Ａ）に示されているように、メモリ１と、メモリ１に格納されているプログラムを実行するプロセッサ２とにより構成することができる。このようなプログラムは、ネットワークを通じて提供されてもよく、また、記録媒体に記録されて提供されてもよい。
なお、データ管理部１６０は、プロセッサ２がメモリ１を利用することで、実現することができる。
【００３９】
また、制御部１７０の一部又は全部は、例えば、図３（Ｂ）に示されているように、処理回路３で構成することもできる。
なお、データ管理部１６０は、処理回路３が処理回路３内又は処理回路３外のメモリ（図示せず）を利用することで、実現することができる。
【００４０】
次に、設備管理装置１１０から遠隔サーバ１９１にデータを送信するための動作について説明する。
【００４１】
図５は、設備管理装置１１０に通信設定を行う際の処理を示すフローチャートである。
ここでは、一例として、設備管理装置１１０と情報収集装置１５０とが、ＬＡＮケーブルにて接続されるものとする。
【００４２】
情報収集装置１５０の転送部１７２は、インターネット接続情報Ｄ２０を読み出し（Ｓ１０）、外部通信監理部１８１を介して、外部回線である３Ｇ回線又はＬＴＥ回線等の無線回線を利用して、インターネット１９０に接続する（Ｓ１１）。
【００４３】
設備管理装置１１０が、ＬＡＮ通信管理部１４３を介して、ＬＡＮ等の汎用通信線１０４に接続されると、設備管理装置１１０の通信管理部１３２は、ＬＡＮ通信管理部１４３を介して、自身のネットワーク情報を取得するためにＩＰ配布要求を送信する（Ｓ１２）。
その要求コマンドを受けた情報収集装置１５０では、通信設定部１７１が、設備管理装置１１０にＩＰアドレスを割り振るとともに、データ管理部１６０からネットワーク設定情報Ｄ２１を読み出す（Ｓ１３）。そして、通信設定部１７１は、読み出されたネットワーク設定情報Ｄ２１に割り振られたＩＰアドレスを追加して、ＬＡＮ通信管理部１８０を介して、それを設備管理装置１１０に返送する（Ｓ１４）。
【００４４】
そのような情報を受信した設備管理装置１１０では、通信管理部１３２が、受信した内容をネットワーク情報Ｄ１１として、データ管理部１２０に保持する（Ｓ１５）。
【００４５】
続いて、情報収集装置１５０の通信設定部１７１は、ＬＡＮに接続された複数の端末のうち、特定の端末が設備管理装置１１０であることを判断する（Ｓ１６）。設備管理装置１１０の特定には、ＩＰ配布要求を受診した相手先を設備管理装置１１０と特定する方法、及び、設備管理装置１１０のＭＡＣアドレスを取得し、ＭＡＣアドレスの割り当て範囲から設備管理装置１１０であることを割り出す方法等がある。通信設定部１７１は、そのいずれを用いて特定しても良い。
なお、設備管理装置１１０に割り振られたＭＡＣアドレスを示す割り振り情報については、遠隔サーバ１９１に格納されているものとする。そして、情報収集装置１５０の設定同期部１７３が、外部通信管理部１８１を介して、その割り振り情報を遠隔サーバ１９１から取得して、例えば、データ管理部１６０に格納しておく。
【００４６】
続いて、情報収集装置１５０の通信設定部１７１は、データ管理部１６０から、サーバ接続設定情報Ｄ２２を読み出す（Ｓ１７）。そして、通信設定部１７１は、読み出されたサーバ接続設定情報Ｄ２２を、ＬＡＮ通信管理部１８０を介して、設備管理装置１１０に送信する（Ｓ１８）。
【００４７】
そのような情報を受信した設備管理装置１１０では、通信管理部１３２が、受信した内容をサーバ接続情報Ｄ１２として、データ管理部１２０に保持する（Ｓ１９）。
【００４８】
続いて、情報収集装置１５０の通信設定部１７１は、データ管理部１６０から、送信先設定情報Ｄ２３を読み出す（Ｓ２０）。そして、通信設定部１７１は、読み出された送信先設定情報Ｄ２３を、ＬＡＮ通信管理部１８０を介して、設備管理装置１１０に送信する（Ｓ２１）。
【００４９】
そのような情報を受信した設備管理装置１１０では、通信管理部１３２が、受信した内容を送信先情報Ｄ１３として、データ管理部１２０に保持する（Ｓ１９）。
【００５０】
以上の手順にて、設備管理装置１１０にインターネット１９０上の遠隔サーバ１９１（データサーバ、メールサーバ）に接続可能な各種データが保持され、人の手を介さずに設備管理装置１１０への設定が完了する。
【００５１】
図６は、設備管理装置１１０から情報収集装置１５０を介して遠隔サーバ１９１に異常発生データ及び運用データを送信する際の処理を示すフローチャートである。
ここでは、一例として、設備管理装置１１０から遠隔サーバ１９１へはＨＴＴＰ（Ｈｙｐｅｒｔｅｘｔ  Ｔｒａｎｓｆｅｒ  Ｐｒｏｔｏｃｏｌ）でデータが送信されるものとする。
【００５２】
設備機器１０１の異常が発生すると（Ｓ３０）、そのタイミングで専用通信線１０３を介して設備管理装置１１０に異常発生データが通知される。
設備管理装置１１０のデータ配信部１３３は、データ管理部１２０から、サーバ接続情報Ｄ１２及び送信先情報Ｄ１３を読み出す（Ｓ３１及びＳ３２）。
そして、データ配信部１３３は、ＬＡＮ通信管理部１４３を介して、異常発生データを、ＬＡＮとインターネット１９０との間のゲートウェイとなる情報収集装置１５０に送信する（Ｓ３３）。
【００５３】
異常発生データを受信した情報収集装置１５０では、転送部１７２が、受信されたデータを指定された遠隔サーバ１９１に配信する（Ｓ３４）。
このようなデータを受信した遠隔サーバ１９１は、受信されたデータを処理する（Ｓ３５）。例えば、遠隔サーバ１９１がメールサーバの場合、指定されたメールアドレスにメールを転送する。また、遠隔サーバ１９１がデータサーバの場合、遠隔サーバ１９１内に異常発生データを格納する。
【００５４】
また、運用データを送信するタイミングとなると（Ｓ３６）、設備管理装置１１０のデータ配信部１３３は、データ管理部１２０から、サーバ接続情報Ｄ１２及び送信先情報Ｄ１３を読み出す（Ｓ３７及びＳ３８）。
そして、データ管理部１２０は、運用データをゲートウェイとなる情報収集装置１５０に送信する（Ｓ３９）。
【００５５】
運用データを受信した情報収集装置１５０では、転送部１７２が、受信されたデータを指定された遠隔サーバ１９１に配信する（Ｓ４０）。
このようなデータを受信した遠隔サーバ１９１は、受信されたデータを処理する（Ｓ４１）。例えば、遠隔サーバ１９１がメールサーバの場合、指定されたメールアドレス先にメールを転送する。また、遠隔サーバ１９１がデータサーバの場合、遠隔サーバ１９１内に運用データを保持する。
【００５６】
以上のように、設備管理装置１１０の各種ネットワーク設定を人が実施することなく、インターネット１９０上の遠隔サーバ１９１に対して運用データ等の情報を送信することが可能となる。このため、ネットワークに関する知識に乏しい設備業者でも、容易に設備管理装置１１０をネットワークに接続することができる。
【００５７】
なお、この実施の形態では、インターネット１９０への接続に電話回線（３Ｇ又はＬＴＥ）が利用されているが、このような例に限定されない。例えば、直接インターネット１９０に接続する構成ではなく、社内ＬＡＮを利用してプロキシサーバを介してインターネット１９０に接続されてもよい。このような場合には、設備管理装置１１０に、プロキシサーバ名称（ホスト名）、ＩＰアドレス及び接続ポート等が設定可能とされていてもよい。
【００５８】
また、この実施の形態では、サーバ接続設定情報Ｄ２２及び送信先設定情報Ｄ２３は、情報収集装置１５０が保持しているものとしている。しかしながら、これらの情報は予め情報収集装置１５０内に保持していてもよく、また、設定同期部１７３が遠隔サーバ１９１上に保持されている最新の情報を、インターネット接続時又は定期的に確認し、これらの情報を収集してもよい。
【００５９】
また、この実施の形態では、運用データの送信プロトコルは、ＨＴＴＰの他、ＳＭＴＰ（Ｓｉｍｐｌｅ  Ｍａｉｌ  Ｔｒａｎｓｆｅｒ  Ｐｒｏｔｏｃｏｌ）又はＦＴＰ（Ｆｉｌｅ  Ｔｒａｎｓｆｅｒ  Ｐｒｏｔｏｃｏｌ）等であってもよい。
【００６０】
また、この実施の形態では特に記載をしていないが、サーバ接続情報Ｄ１２は、ＨＴＴＰ等の通信を転送するためのプロキシサーバ設定として用いてもよい。また、サーバ接続情報Ｄ１２は、ＨＯＳＴファイルのようにホスト名と接続先ＩＰアドレスの変換表が記載されているものであってもよい。
【００６１】
以上詳細に説明したように、この実施の形態に係る情報収集装置１５０によれば、設備管理装置１１０に情報収集装置１５０を接続することで、異常発生情報又は運用データの遠隔送信に関する各種通信設定が不要となり、ネットワークに関する知識に乏しい設備業者においても、容易に設備管理システム１００の構築が可能となる。
【００６２】
また、設備管理装置１１０を社内ＬＡＮ等の情報系ＬＡＮに接続せず、３Ｇ又はＬＴＥ回線を用いたシステム構成にすることにより、顧客の情報システム部門との折衝が不要となり、ネットワークやセキュリティに関する知識に乏しい設備業者においても、容易にインターネット１９０を活用したシステムを構築可能となる。
【００６３】
また、この実施の形態に係る情報収集装置１５０によれば、メンテナンス時等に情報収集装置１５０を持っていき、設備管理装置１１０にＬＡＮケーブルで接続することにより、設備管理装置１１０から遠隔サーバ１９１に容易に接続が可能となる。このため、一時的なメンテナンス時のデータ収集及び不具合発生時の遠隔地からの調査に活用することができる。
【００６４】
また、この実施の形態に係る情報収集装置１５０によれば、ＨＴＴＰ以外の各種インターネット１９０用のプロトコルも利用することができるため、メール（ＳＭＴＰ）又はＦＴＰ等で大容量のファイルを転送することもできる。
【００６５】
また、この実施の形態に係る情報収集装置１５０によれば、セキュリティの問題で設備管理装置１１０が社内ＬＡＮへの接続が許可されない場合でも、情報収集装置１５０を介して異常メール発報又はクラウドへの運用データの送信等を行うことができる。
【００６６】
また、この実施の形態に係る情報収集装置１５０によれば、設備管理装置１１０を直接インターネット１９０上に公開する必要がないため、ＤＯＳ攻撃等のセキュリティの脅威から守ることが可能。
【００６７】
また、この実施の形態に係る情報収集装置１５０によれば、設備管理装置１１０に設定する通信設定情報は、インターネット１９０から取得される情報に基づいて、最新の状態に同期されるため、設備管理装置１１０に最新の通信設定を行うことができる。
【００６８】
また、この実施の形態に係る情報収集装置１５０によれば、遠隔サーバ１９１に保持された設備管理装置１１０のＭＡＣアドレスにより、ＬＡＮ上に接続された設備管理装置１１０を判別することができる。このため、設備管理装置１１０以外の端末に不要なアクセスをしないで、通信設定を行うことができる。
【００６９】
また、この実施の形態に係る情報収集装置１５０によれば、設備管理装置１１０から収集された経年的な運用データをクラウドで分析し、故障予知又は冷媒漏れ検知等の保守サービスを展開することができる。
【００７０】
なお、本発明は、上述の実施の形態及び図面によって限定されるものではない。本発明の要旨を変更しない範囲で実施の形態及び図面に変更を加えることができるのはもちろんである。
【符号の説明】
【００７１】
１００  設備管理システム、  １０１  設備機器、  １０３  専用通信線、  １０４  汎用通信線、  １０５  外部通信線、  １１０  設備管理装置、  １２０  データ管理部、  １３０  制御部、  １３１  設備機器管理部、  １３２  通信管理部、  １３３  データ配信部、  １４０  表示装置、  １４１  入力装置、  １４２  設備機器通信管理部、  １４３  ＬＡＮ通信管理部、  １５０  情報収集装置、  １６０  データ管理部、  １７０  制御部、  １７１  通信設定部、  １７２  転送部、  １７３  設定同期部、  １８０  ＬＡＮ通信管理部、  １８１  外部通信管理部、  １９１  遠隔サーバ。
【図１】
0006602493.tif 000002
【図２】
0006602493.tif 000003
【図３】
0006602493.tif 000004
【図４】
0006602493.tif 000005
【図５】
0006602493.tif 000006
【図６】
0006602493.tif 000007